【手続補正書】
【提出日】平成16年10月8日(2004.10.8)
【手続補正１】
【補正対象書類名】明細書
【補正対象項目名】特許請求の範囲
【補正方法】変更
【補正の内容】
【特許請求の範囲】
【請求項１】
２つまたはそれ以上のネットワークオペレータの通信ネットワーク（ＫＮ１からＫＮ３）を備える通信システム（ＫＳ）を介して情報の通信をサポートするための方法であり、情報の通信の前に、通信システムのサービスユニット（ＳＵ）に接触が行われ、情報の通信のための要求（ＣＲ）がサービスユニット（ＳＵ）に渡される方法であって、サービスユニット（ＳＵ）は、情報の通信のための要求を、情報通信のための仮想電子市場（ＶＭＰ）の機構内でサービスユニット（ＳＵ）と対話する２つまたはそれ以上の電子エージェント（Ａ１からＡ３）に渡し、電子エージェント（Ａ１からＡ３）は、ネットワークオペレータの１つにそれぞれ割り当てられ、情報のための電子市場（ＶＭＰ）の機構内で、それぞれのネットワークオペレータによって指定された基準（ＫＤ）に従い、決定ロジック（ＤＬ）によって意思決定し、サービスユニット（ＳＵ）が、情報のための電子市場（ＶＭＰ）の機構内の対話によって１回または複数回、電子エージェント（Ａ１からＡ３）をプロンプトして要求された情報の通信を実行するためのオファーを送出させ、情報のための電子市場（ＶＭＰ）の機構内の対話を通し、そのようなプロンプトに応答する電子エージェントの１つ（Ａ１）によって送出されたオファー（ＯＦ）がサービスユニット（ＳＵ）によって受け入れられたものとして該電子エージェント（Ａ１）に承認され、サービスユニット（ＳＵ）は、該電子エージェント（Ａ１）の割当てられたネットワークオペレータの通信ネットワーク（ＫＮ１）を介して情報の通信を開始し、該電子エージェント（Ａ１）は、該ネットワークオペレータの通信ネットワーク（ＫＮ１）を介する情報の伝送のために取り決められた条件（ＴＩ）を該ネットワークオペレータのネットワーク管理ユニット（ＢＣ１）に伝達することを特徴とする、情報の通信をサポートするための方法。
【請求項２】
情報の通信のための要求（ＣＲ）が、発呼側端末（ＴＥ１）と１つまたは複数の被呼側端末（ＴＥ２）間の通信接続（ＣＣ）の確立を、通信接続（ＣＣ）を介する情報の通信のために要求することを特徴とする請求項１に記載の方法。
【請求項３】
情報の通信のための要求が、第１の端末から１つまたは複数の第２の端末に情報のコネクションレス型の通信を要求することを特徴とする請求項１に記載の方法。
【請求項４】
要求された情報の通信を実行するためのオファーを送出させるプロンプト（ＣＲ’）を用いて、サービスユニット（ＳＵ）が、２つまたはそれ以上の電子エージェント（Ａ１からＡ３）に対して、通信のための１つまたは複数の条件を指定することを特徴とする請求項１に記載の方法。
【請求項５】
サービスユニット（ＳＵ）が、電子エージェント（Ａ１からＡ３）の１つがオファー（ＯＦ）を送出するまで、それぞれプロンプト（ＣＲ’）に関連付けられた１つまたは複数の条件を、連続して変更することを特徴とする請求項４に記載の方法。
【請求項６】
電子市場の機構内の対話を通し、そのようなプロンプトに応答する電子エージェントの１つ（Ａ１）によって送出されるオファー（ＯＦ）が、サービスユニット（ＳＵ）に対して、通信のための１つまたは複数の条件を指定することを特徴とする請求項１または請求項４に記載の方法。
【請求項７】
１つまたは複数の条件が、情報の通信の性質およびやり方を指定することを特徴とする請求項４または請求項６に記載の方法。
【請求項８】
１つまたは複数の条件が、情報の通信の課金を指定することを特徴とする請求項４、請求項６、または請求項７に記載の方法。
【請求項９】
電子市場の機構内の対話を通し、そのようなプロンプト（ＣＲ’）に応答する電子エージェント（Ａ１からＡ３）によって送出されるオファー（ＯＦ）が、情報の通信の一部にのみ関係し、サービスユニット（ＳＵ）が、完全な情報の通信がもたらされるようにそのような複数のオファーを承認することを特徴とする請求項１に記載の方法。
【請求項１０】
それぞれのネットワークオペレータによって指定される基準（ＫＤ）が、他のネットワークオペレータに関するネットワークオペレータのストラレテジに関係することを特徴とする請求項１に記載の方法。
【請求項１１】
それぞれのネットワークオペレータによって指定される基準（ＫＤ）が、ネットワークオペレータのネットワークローディングに関係することを特徴とする請求項１または請求項１０に記載の方法。
【請求項１２】
電子エージェント（Ａ１からＡ３）が、情報通信のための電子市場（ＶＭＰ）にそれ自体を登録し、登録された電子エージェント（Ａ１からＡ３）のみがサービスユニット（ＳＵ）からのプロンプトを受け取ることを特徴とする請求項１に記載の方法。
【請求項１３】
２つまたはそれ以上のネットワークオペレータの通信ネットワーク（ＫＮ１からＫＮ３）を備える通信システム（ＫＳ）を介して情報の通信をサポートするためのサービスユニット（ＳＵ）であって、サービスユニット（ＳＵ）は、情報の通信のための要求（ＣＲ）がサービスユニット（ＳＵ）に渡されるとき、サービスユニット（ＳＵ）が、情報の通信のための要求を、情報通信のための仮想電子市場（ＶＭＰ）の機構内のサービスユニット（ＳＵ）と対話する２つまたはそれ以上の電子エージェント（Ａ１からＡ３）に渡し、電子エージェント（Ａ１からＡ３）は、ネットワークオペレータの１つにそれぞれ割り当てられ、情報のための電子市場（ＶＭＰ）の機構内で、それぞれのネットワークオペレータによって指定された基準（ＫＤ）に従い、決定ロジック（ＤＬ）によって意思決定するように設計され、さらにサービスユニット（ＳＵ）は、電子市場（ＶＭＰ）の機構内の対話によって１回または複数回、電子エージェント（Ａ１からＡ３）をプロンプトし、要求された情報の通信を実行するためのオファーを送出させるように設計され、さらにサービスユニット（ＳＵ）は、電子市場ＶＭＰの機構内の対話を通し、そのような要求に応答する電子エージェントの１つ（Ａ１）によって送出されたオファー（ＯＦ）がサービスユニット（ＳＵ）によって受け入れられたものとして、該電子エージェント（Ａ１）に承認されるように設計され、さらにサービスユニット（ＳＵ）は、該電子エージェント（Ａ１）に割当てられたネットワークオペレータの通信ネットワーク（ＫＮ１）を介して情報の通信を開始するように設計されていることを特徴とする、情報の通信をサポートするためのサービスユニット（ＳＵ）。
【請求項１４】
２つまたはそれ以上のネットワークオペレータの通信ネットワーク（ＫＮ１からＫＮ３）を備える通信システム（ＫＳ）を介して情報の通信をサポートするためのソフトウェア製品であって、サーバ（ＳＥＲＶ）上で実行する際、請求項１３に記載のサービスユニット（ＳＵ）の機能を行うように設計されていることを特徴とするソフトウェア製品。
【請求項１５】
２つまたはそれ以上のネットワークオペレータの通信ネットワーク（ＫＮ１からＫＮ３）を備える通信システム（ＫＳ）を介して情報の通信をサポートするためのサーバ（ＳＥＲＶ）であって、請求項１３に記載のサービスユニット（ＳＵ）の機能を行うように設計されている制御手段を備えることを特徴とするサーバ（ＳＥＲＶ）。
【請求項１６】
２つまたはそれ以上のネットワークオペレータの通信ネットワーク（ＫＮ１からＫＮ３）を備える通信システム（ＫＳ）を介して情報の通信をサポートするための電子エージェント（Ａ１からＡ３）であって、電子エージェント（Ａ１からＡ３）は、情報通信のための仮想電子市場（ＶＭＰ）の機構内で、電子エージェント（Ａ１からＡ３）に対して情報の通信のための要求（ＣＲ）を渡すサービスユニット（ＳＵ）と対話し、情報通信のための仮想電子市場（ＶＭＰ）の機構内で、割当てられたネットワークオペレータによって指定された基準（ＫＤ）に従い、決定ロジック（ＤＬ）によって意思決定するように設計され、さらに電子エージェント（Ａ１からＡ３）は、情報のための電子市場（ＶＭＰ）の機構内の対話を通して、要求された情報の通信を実行するためのオファーを送出させるよう、サービスユニット（ＳＵ）からプロンプトされるとき、プロンプトに応答してオファーを送出するかまたは送出しないかを、基準（ＫＤ）に従い、決定ロジック（ＤＬ）によって意思決定するように設計され、さらに電子エージェント（Ａ１からＡ３）は、情報のための電子市場（ＶＭＰ）の機構内の対話を通し、送出したオファー（ＯＦ）がサービスユニット（ＳＵ）によって受け入れられたものとして、電子エージェントに承認されるとき、割当てられたネットワークオペレータの通信ネットワーク（ＫＮ１）を介する情報の通信のための取り決められた条件（ＴＩ）をネットワークオペレータのネットワーク管理ユニット（ＢＣ１）に伝達するように設計されていることを特徴とする、情報の通信をサポートするための電子エージェント（Ａ１からＡ３）。
【請求項１７】
２つまたはそれ以上のネットワークオペレータの通信ネットワーク（ＫＮ１からＫＮ３）を備える通信システム（ＫＳ）を介して情報の通信をサポートするためのソフトウェア製品であって、サーバ（ＳＥＲＶ、ＳＥＲＶ１からＳＥＲＶ３）上で実行する際、請求項１６に記載の電子エージェントの機能を行うように設計されていることを特徴とするソフトウェア製品。
【請求項１８】
２つまたはそれ以上のネットワークオペレータの通信ネットワーク（ＫＮ１からＫＮ３）を備える通信システム（ＫＳ）を介して情報の通信をサポートするためのサーバ（ＳＥＲＶ、ＳＥＲＶ１からＳＥＲＶ３）であって、請求項１６に記載の電子エージェントの機能を行うように設計されている制御手段を備えることを特徴とする、情報の通信をサポートするためのサーバ（ＳＥＲＶ、ＳＥＲＶ１からＳＥＲＶ３）。